(57)【要約】【課題】ジャムに対するリカバリーの内容を選択可能にする。【解決手段】画像形成システムは、画像形成部と、画像形成部が排出した被搬送物を折る第一折り部と、第一折り部が折った被搬送物を異なる方向に折る第二折り部と、第一折り部と第二折り部との間で第一折り後の被搬送物を排出可能な第一排出部と、第二折り部よりも被搬送物の搬送方向下流側の第二排出部と、第一折りおよび第二折りの両方を行った被搬送物を複数出力するジョブの処理中にジョブに関わる複数の被搬送物の状態を管理する状態管理部と、ジョブの処理中に第二折り部以降でジャムが発生した場合に、被搬送物の状態に基づき、第二折り部よりも上流を搬送中の被搬送物については、画像形成および第一折りを終えて第一排出部に排出し、当該ジャムの解消後に第一排出部に排出された被搬送物と同じ画像形成を行わない動作の選択を受け付ける操作部と、を備える。【選択図】図６
2019164257.tif 000002
【特許請求の範囲】
【請求項１】
シート状の被搬送物に画像を形成する画像形成部と、
前記画像形成部が排出した被搬送物を第一方向に折る第一折りを行う第一折り部と、
前記第一折り部が折った被搬送物を前記第一方向と異なる第二方向に折る第二折りを行う第二折り部と、
前記第一折り部と前記第二折り部との間に設けられ、前記第一折りまで終えた被搬送物を排出可能とする第一排出部と、
前記第二折り部よりも被搬送物の搬送方向下流側で被搬送物を排出する第二排出部と、
前記第一折りおよび前記第二折りの両方を行った被搬送物を複数出力するジョブの処理中に、当該ジョブに関わる複数の被搬送物の状態を管理する状態管理部と、
前記ジョブの処理中に前記第二折り部以降でジャムが発生した場合に、前記状態管理部が管理する被搬送物の状態に基づき、前記第二折り部よりも上流を搬送されている被搬送物については、前記画像形成部での画像形成および前記第一折りを終えて前記第一排出部に排出し、当該ジャムの解消後、前記第一排出部に排出された被搬送物と同じ画像形成を行わない動作の選択を受け付ける操作部と、
を備える画像形成システム。
【請求項２】
前記操作部は、前記ジョブの処理中に前記第二折り部以降でジャムが発生した場合に、前記状態管理部が管理する被搬送物の状態に基づき、前記画像形成部での画像形成前である被搬送物について、前記画像形成および前記第一折りを行って前記第一排出部に排出させるか否かの選択を、さらに受け付ける
ことを特徴とする請求項１に記載の画像形成システム。
【請求項３】
前記操作部は、前記ジャムの解消後にジャム原因の被搬送物以降の画像形成を新たに行う選択を、さらに受け付ける
ことを特徴とする請求項１または２に記載の画像形成システム。
【請求項４】
前記操作部は、前記第二排出部に、ジョブが正常に完了した場合と同じ状態に被搬送物が排出されるよう、前記ジャムの解消後、ジャム原因の被搬送物の画像形成を新たに行い、前記第一排出部に排出された被搬送物を再利用し、ジャム発生時に画像形成前であった被搬送物の画像形成を行う選択を、さらに受け付ける
ことを特徴とする請求項１〜３のいずれか一項に記載の画像形成システム。
【請求項５】
前記操作部は、前記ジャムが発生したジョブにかかる出力をキャンセルする選択を、さらに受け付ける
ことを特徴とする請求項１〜４のいずれか一項に記載の画像形成システム。
【請求項６】
シート状の被搬送物に画像を形成する画像形成部と、前記画像形成部が排出した被搬送物を第一方向に折る第一折りを行う第一折り部と、前記第一折り部が折った被搬送物を前記第一方向と異なる第二方向に折る第二折りを行う第二折り部と、前記第一折り部と前記第二折り部との間に設けられて前記第一折りまで終えた被搬送物を排出可能とする第一排出部と、前記第二折り部よりも被搬送物の搬送方向下流側で被搬送物を排出する第二排出部と、を備える画像形成システムで実行される画像形成方法であって、
前記第一折りおよび前記第二折りの両方を行った被搬送物を複数出力するジョブの処理中に前記第二折り部以降でジャムが発生した場合に、前記第二折り部よりも上流を搬送されている被搬送物については、前記画像形成部での画像形成および前記第一折りを終えて前記第一排出部に排出し、当該ジャムの解消後、前記第一排出部に排出された被搬送物と同じ画像形成を行わない動作の選択を受け付ける工程
を含むことを特徴とする画像形成方法。
【請求項７】
シート状の被搬送物に画像を形成する画像形成部と、前記画像形成部が排出した被搬送物を第一方向に折る第一折りを行う第一折り部と、前記第一折り部が折った被搬送物を前記第一方向と異なる第二方向に折る第二折りを行う第二折り部と、前記第一折り部と前記第二折り部との間に設けられて前記第一折りまで終えた被搬送物を排出可能とする第一排出部と、前記第二折り部よりも被搬送物の搬送方向下流側で被搬送物を排出する第二排出部と、を備える画像形成システムが備えるコンピュータを、
前記第一折りおよび前記第二折りの両方を行った被搬送物を複数出力するジョブの処理中に、当該ジョブに関わる複数の被搬送物の状態を管理する状態管理手段と、
前記ジョブの処理中に前記第二折り部以降でジャムが発生した場合に、前記状態管理手段が管理する被搬送物の状態に基づき、前記第二折り部よりも上流を搬送されている被搬送物については、前記画像形成部での画像形成および前記第一折りを終えて前記第一排出部に排出し、当該ジャムの解消後、前記第一排出部に排出された被搬送物と同じ画像形成を行わない動作の選択を受け付ける受付手段と、
として機能させる画像形成プログラム。
【発明の詳細な説明】
【技術分野】
【０００１】
本発明は、画像形成システム、画像形成方法および画像形成プログラムに関する。
【背景技術】
【０００２】
従来、画像形成装置と後処理装置とを備える画像形成システムがある。画像形成装置は、例えば複合機や複写機などであって、シート状の被搬送物（以下、単にシートと記す）に画像形成処理を行う。後処理装置は、画像形成装置が出力したシートに対して所定の処理を行う装置であって、例えば、折り装置として、シートを所定の形状に折りたたむ折り処理を行う。Ａ０サイズなどの大判のシートを最終的にＡ４サイズ程度に折りたたんで出力する場合、例えば、山折りと谷折りが交互になるようジグザグに折りたたみ（第一折り）、第一折りの折り目と直交する方向に１〜２度折りたたむ（第二折り）、というように、折り処理を二段階で行う。
【０００３】
ところで、画像形成システムでは、シートに順に施される複数の処理の各々で、ジャムが発生する可能性がある。このため、ジャム発生に対するリカバリーを、ジャムが発生している箇所以外の処理の状況と兼ね合わせて行うために、様々な工夫がされている。そのような工夫の一つが、例えば特許文献１に開示されている。特許文献１では、ジャム発生時に装置内に存在したシートの再利用について述べられている。具体的には、ジャム発生箇所よりも上流で搬送中のシートを一旦排出し、このシートをリカバリーの際に再給紙して無駄を減らすというものである。
【発明の概要】
【発明が解決しようとする課題】
【０００４】
ジャム後のリカバリーとして好適な内容は、シートのサイズやジャムが発生した箇所によって、さらにはユーザによって、違ってくる。
【０００５】
本発明は、上記に鑑みてなされたものであって、シートに複数段階の折り処理を行うシステムでのジャムに対するリカバリーの内容を、選択可能にすることを目的とする。
【課題を解決するための手段】
【０００６】
上述した課題を解決し、目的を達成するために、本発明は、シート状の被搬送物に画像を形成する画像形成部と、前記画像形成部が排出した被搬送物を第一方向に折る第一折りを行う第一折り部と、前記第一折り部が折った被搬送物を前記第一方向と異なる第二方向に折る第二折りを行う第二折り部と、前記第一折り部と前記第二折り部との間に設けられ、前記第一折りまで終えた被搬送物を排出可能とする第一排出部と、前記第二折り部よりも被搬送物の搬送方向下流側で被搬送物を排出する第二排出部と、前記第一折りおよび前記第二折りの両方を行った被搬送物を複数出力するジョブの処理中に、当該ジョブに関わる複数の被搬送物の状態を管理する状態管理部と、前記ジョブの処理中に前記第二折り部以降でジャムが発生した場合に、前記状態管理部が管理する被搬送物の状態に基づき、前記第二折り部よりも上流を搬送されている被搬送物については、前記画像形成部での画像形成および前記第一折りを終えて前記第一排出部に排出し、当該ジャムの解消後、前記第一排出部に排出された被搬送物と同じ画像形成を行わない動作の選択を受け付ける操作部と、を備えることを特徴とする。
【発明の効果】
【０００７】
本発明によれば、シートに複数段階の折り処理を行うシステムでのジャムに対するリカバリーの内容を、選択可能にできる。特に、複数の被搬送物に第一折りおよび第二折りを行うジョブで、第二折り以降でジャムが発生した場合、ジャム発生時にジャム原因よりも上流側で処理中であった被搬送物については、第一折りを終えたところで排出させることにより、手作業で除去する被搬送物をジャム原因のものだけにすることができる。また、ジャム解消後、第一折りで排出されている被搬送物と同じ画像形成を行わない選択を可能とすることで、ジャム解消後のリカバリーの内容の選択肢が増えるため、ユーザが自身の望む落としどころに、より近い内容のリカバリーを行うことが可能となる。
【図面の簡単な説明】
【０００８】
【図１】図１は、実施形態にかかる画像形成システムの概略的な構成を示す斜視図である。
【図２】図２は、画像形成システムを図１および図３に矢印Ａで示す方向から見た図であって、画像形成システムの構成を示す側面図である。
【図３】図３は、画像形成システムを図１および図２に矢印Ｂで示す方向から見た図であって、折り装置の構成を示す背面図である。
【図４】図４は、画像形成装置および折り装置の電気的接続を示すブロック図である。
【図５】図５は、制御部が備える機能部を示すブロック図である。
【図６】図６は、制御部が行うジャム対応処理の流れを概略的に示すフローチャートである。
【図７】図７は、図６のステップＳ１で操作部に表示させる選択画面の一例である。
【図８】図８は、図６のステップＳ５で操作部に表示させる選択画面の一例である。
【発明を実施するための形態】
【０００９】
画像形成システム、画像形成方法、および画像形成プログラムの実施の形態について、添付図面を参照しながら詳細に説明する。図１は、本実施形態にかかる画像形成システム１００の概略的な構成を示す斜視図である。画像形成システム１００は、画像形成装置２００と、折り装置３００とを備えている。折り装置３００は、後処理装置の一種である。画像形成装置２００は、例えば複合機や複写機（コピー機）、或いはプリンタである。複合機は、コピー（複写）機能、プリンタ機能、スキャナ機能およびファクシミリ機能のうち少なくとも２つの機能を有する画像形成装置である。
【００１０】
本実施形態では、例えばＡ０サイズなどの大判のシート状の被搬送物（以下、単にシートと記す）に画像形成して、これをＡ４サイズ程度の大きさに折りたたんで排出する場合を例に、説明する。
【００１１】
画像形成システム１００では、シートに対し、図１に記した番号の順に、次に記す各処理が行われる。すなわち、（１）画像形成（印刷、印字）、（２）給紙〜耳折り、（３）第一折り処理、（４）搬送方向の切り替え、（５）パンチ孔開け、（６）第二折り処理、（７）反転、（８）回転、（９）押印、（１０）排紙、である。以下、上記各処理を行う各部について順に説明する。
【００１２】
図２は、画像形成システム１００を図１および図３に矢印Ａで示す方向から見た図であって、画像形成システム１００の構成を示す側面図である。図３は、画像形成システム１００を図１および図２に矢印Ｂで示す方向から見た図であって、折り装置３００の構成を示す背面図である。画像形成装置２００は、操作部２１０、原稿読取部２２０、画像形成部２３０、および給紙部２４０を備えている。
【００１３】
操作部２１０は、例えば表示デバイスと、当該表示デバイスの表面を覆うタッチパネルとを備え、表示デバイスに表示された選択ボタンへの操作を、タッチパネルで受け付ける。このような操作部２１０は、各種の設定や指示を行う操作を受け付ける。また、操作部２１０は、折り装置３００が行う折りの種類等を設定する操作を受け付ける。原稿読取部２２０は、原稿台に載置された原稿を検知すると、原稿を原稿台から装置内に引き込みながら原稿表面の画像を読み取る。
【００１４】
画像形成部２３０は、原稿読取部２２０が読み取った原稿画像、或いはネットワーク経由等で受信した画像を、給紙部２４０から供給されるシートＰ上に形成（印刷あるいは印字）する。給紙部２４０は、画像形成部２３０に、シートＰを供給する。シートＰとしては、例えば紙、コート紙、ラベル紙、ＯＨＰシート（オーバーヘッドプロジェクタシート）、フィルム等がある。
【００１５】
上述の各部（操作部２１０、原稿読取部２２０、画像形成部２３０、および給紙部２４０）は、後述の制御部１１０（図４参照）により、各々の動作を制御される。
【００１６】
折り装置３００は、第一処理部３１０、第二処理部３２０、第三処理部３３０、操作部３４０、手差部３５０および排紙・再挿入部３６０を備えている。操作部３４０は、折り装置３００が行う各種処理に関する操作を受け付ける。
【００１７】
第一処理部３１０は、連結搬送部３１１、端面折部３１２、ジャバラ折部３１３を備えている。連結搬送部３１１は、画像形成装置２００が排出したシートを、折り装置３００内に引き入れる。端面折部３１２は、シートを耳折りする、すなわち、シートが図面の場合に標題欄にあたる部分が含まれる角部を、シートの縁に対して斜めに折り返す。
【００１８】
ジャバラ折部３１３は、第一折り部の一例であって、第一折り処理を行う。すなわち、ジャバラ折部３１３は、シートを、山と谷が交互になるようジグザグに折りたたんでジャバラ（蛇腹）状にする。
【００１９】
第二処理部３２０は、搬送切替部３２１、縦パンチ３２２、横パンチ３２３、およびフラップ３２４を備えている。排紙・再挿入部３６０は、第一排出部の一例であって、排紙口３６１およびトレイ３６２を備えている。搬送切替部３２１は、第一処理部３１０が排出したシート（第一折り処理済み）を、第三処理部３３０に搬送するか、もしくは排紙口３６１からトレイ３６２に排出する。また、排紙口３６１は、再挿入口を兼ねている。搬送切替部３２１は、トレイ３６２から排紙口３６１に差し込まれたシート（第一折り処理済み）を、第三処理部３３０に搬送する。縦パンチ３２２は、ジャバラ状のシートの長辺に、一対の孔を開ける。横パンチ３２３は、ジャバラ状のシートの短辺に、一対の孔を開ける。フラップ３２４は、例えばソレノイド駆動であって、シートの搬送先を、第三処理部３３０へ向かう経路と横パンチ３２３へ向かう経路とのいずれかに切り替える。より詳しくは、フラップ３２４は、ソレノイドの駆動力を受けて、二つの経路のいずれか一方を塞ぐ位置と他方を塞ぐ位置との間で回動し、二つの経路の一方を塞ぐことによってシートを他方へと導く。
【００２０】
第三処理部３３０は、クロス折部３３１、反転部３３２、回転部３３３、スタンプ３３４およびトレイ３３５を備えている。クロス折部３３１は、第二折り部の一例であって、第二折り処理を行う。すなわち、クロス折部３３１は、ジャバラ状に折りたたまれたシートを、第一折り処理の折り目と直交する方向に１〜２度折りたたむ。
【００２１】
反転部３３２は、シートを反転させる。回転部３３３は、シートを回転させる。スタンプ３３４は、シートに印章を押す。トレイ３３５は、クロス折部３３１よりも下流側でシートを排出する第二排出部の一例であって、最終的に排紙されたシートを支える。なお、トレイ３３５は、上下方向に移動可能に設けられている。手差部３５０は、手差トレイ３５１および手差搬送部３５２を備えている。手差搬送部３５２は、手差トレイ３５１から差し込まれたシートを、第一処理部３１０に引き入れる。
【００２２】
図４は、画像形成装置２００および折り装置３００の電気的接続を示すブロック図である。画像形成装置２００は、制御部１１０を備えている。制御部１１０は、画像形成装置２００の各部（操作部２１０、原稿読取部２２０、画像形成部２３０、給紙部２４０）を統括的に制御する。また、制御部１１０は、操作部２１０が受け付けた操作を受け付ける。
【００２３】
折り装置３００は、コントローラ１２０を備えている。コントローラ１２０は、折り装置３００の各部（連結搬送部３１１、端面折部３１２、ジャバラ折部３１３、搬送切替部３２１、縦パンチ３２２、横パンチ３２３、クロス折部３３１、反転部３３２、回転部３３３、スタンプ３３４、トレイ３３５、操作部３４０、手差部３５０、および排紙・再挿入部３６０）のタイミングをとり、各々の動作を制御する。また、制御部１１０は、操作部３４０が受け付けた操作を受け付ける。さらに、コントローラ１２０は、制御部１１０と接続されていて、制御部１１０の制御に従う。
【００２４】
制御部１１０とコントローラ１２０とは、各々の操作部２１０，３４０が入力を受け付けた情報や、折り処理に必要な情報を、相互にやりとりする。それらの情報に基づいて、制御部１１０（またはコントローラ１２０）は、第一折り処理および第二折り処理の折り方の選択や折り幅の調整などの動作を、コントロールする。
【００２５】
なお、制御部１１０およびコントローラ１２０は、それぞれ、ＣＰＵ（Central  Processing  Unit）等のプロセッサと、ＲＯＭ（Read  Only  Memory）、ＲＡＭ（Random  Access  Memory）等のメモリを備えている。制御部１１０およびコントローラ１２０は、それぞれ、ＣＰＵがＲＯＭに格納されたプログラムをＲＡＭに展開して実行することにより、機能する。
【００２６】
図５は、制御部１１０が備える機能部を示すブロック図である。制御部１１０は、図５に示す各機能部（状態管理部１１１、自動排出部１１２、第一選択部１１３、第二選択部１１４）として機能する。なお、実施にあたっては、図５に示す各機能部を、コントローラ１２０が実現してもよいし、或いは、制御部１１０とコントローラ１２０との協働によって実現するよう構成してもよい。
【００２７】
また、制御部１１０は、上述の各機能部が果たす機能の他、旧来の機能も当然に有している。すなわち、制御部１１０は、給紙部２４０から画像形成部２３０への給紙を制御する（給紙制御機能）。また、制御部１１０は、画像形成部２３０における画像の形成を制御する（印刷（印字）制御機能）。さらに、制御部１１０は、画像形成システム１００内でのジャムの発生および発生場所の検知を行う（ジャム検知機能）。
【００２８】
状態管理部１１１は、第一折りおよび第二折りの両方が指定されたシートを複数枚出力するジョブを制御部１１０が実行しているときに動作し、画像形成装置２００および折り装置３００にて実行中のジョブに関わる全シートの状態を、管理し、把握する。
【００２９】
自動排出部１１２は、クロス折部３３１以降でジャムが発生した場合に、状態管理部１１１が管理するシートの状態を参照し、ジャバラ折部３１３以前で処理中のシートを、第一折り処理まで終えて、排紙口３６１から排出する。
【００３０】
第一選択部１１３は、継続／中止選択部の一例であって、ジョブの処理中にクロス折部３３１以降でジャムが発生した場合に、状態管理部１１１が管理するシートの状態に基づき、画像形成部２３０での画像形成の前であるシートについて、現在可能な画像形成および第一折りまで行って自動排出部１１２に排出させる（継続）か、今は行わない（中止）か、の選択を、操作部２１０（または操作部３４０）によって受け付ける。
【００３１】
第二選択部１１４は、ジャム対応が済んだ後、ジャムが発生したジョブのリカバリーをどのように行うか、もしくは行わないかの選択を、操作部２１０（または操作部３４０）によって受け付ける。この第二選択部１１４は、ジャムの解消後に排紙・再挿入部３６０に排出されたシートと同じ画像形成を行わない選択を可能にする、リカバリー選択部の一例として機能する。
【００３２】
上述の各機能部が実現する機能の詳細については、以下、具体例に沿って説明する。
【００３３】
さて、シートがＡ０サイズなどの大判のものであると、一般的に事務用に用いられるＡ４やＡ３サイズのシート（カット紙）を折りたたむ装置の場合とは、ジャム発生時の対処が異なってくる。
【００３４】
まず、大判のシートの処理には、下記の特徴がある。まず、全く折りたたまれていない状態では取り扱いづらいため、第一折り処理を手作業で行うのは、技術的にも手間の上でも難しい。また、一般的に事務用で出力されるＡ４サイズなどと比べて、画像形成システム１００内の各部で処理途中のシートの総枚数が、少ないことが多い。具体的には、前者は１０枚を超えることがあるのに対し、後者は、数枚程度である。さらに、第二折り処理は、数枚程度であれば、比較的無理なく手作業で行うことができる。このような特徴を踏まえ、第二折り処理を行うクロス折部３３１でジャムが発生した場合のリカバリーの内容の一例について、考察する。
【００３５】
ジャム発生時の状況例は、次の通りである。ページ番号１〜５のシートを順に、画像形成処理、第一折り処理、第二折り処理をして出力するジョブにおいて、次の表１に示す状況のジャムが発生したとする。
【表１】
2019164257.tif 000003
【００３６】
ページ１のシートは、全処理を正常に終えてトレイ３３５に排出済みである。ページ２のシートは、ジャム原因であって、クロス折部３３１以降に詰まっている。ページ３のシートは、ジャバラ折部３１３で第一折り処理の途中である。ページ４のシートは、ジャバラ折部３１３よりも前で、画像形成中もしくは搬送中である。ページ５のシートは、給紙前であって、給紙部２４０内に存在している。
【００３７】
ここで、状態管理部１１１は、ページ番号に関連付けてシートの状態（いわゆるステータス）を管理している。すなわち、ページ１の状態管理は、「正常終了」である。ページ２の状態管理は、「ジャム原因」である。ページ３の状態管理は「第一折り中」である。ページ４の状態管理は、「画像形成中」である。ページ５の状態管理は、「給紙前」である。このように状態管理部１１１は、画像形成システム１００内において、実行中のジョブに関わるシートの状態を、シート毎にユニークな番号を割り付けるなどして管理する。
【００３８】
なお、状態管理部１１１は、上述の機能を実現するにあたり、ジョブ、ページ番号、シートの状態などの変化する一時的な情報を、制御部１１０を構成するＲＡＭまたは制御部１１０が読み書き可能な所定の記憶部に記憶させる。
【００３９】
上述のようなジャムの場合、給紙部２４０を既に出ていて第二処理部３２０に至る前のシート（ページ３，４のシート）は、詰まっているわけではない。よって、ページ３，４は、ユーザの手作業による除去でなくとも、排紙口３６１に至るまで処理を進めることによって自動的に排出可能である。そこで、自動排出部１１２は、リカバリーの内容に関わらず、ページ３，４のシートについては第一折り処理まで終えて、排紙口３６１から排出する。
【００４０】
図６は、制御部１１０が行うジャム対応処理の流れを概略的に示すフローチャートである。制御部１１０は、上述のようなジャムが発生した場合に、第一選択部１１３として、操作部２１０を介してユーザから、現在実行中のジョブの未給紙ページの出力を継続するか中止するかの選択を、受け付ける（ステップＳ１）。
【００４１】
図７は、図６のステップＳ１で操作部２１０に表示させる選択画面４１０の一例である。選択画面４１０は、標題４１１、案内文４１２、継続ボタン４１３、中止ボタン４１４、設定ボタン４１５、取消ボタン４１６、などを含んでいる。
【００４２】
標題４１１は、選択画面４１０が表示された理由や選択画面４１０で何を行うのかを端的に示す語句である。標題４１１は、例えば「第二折り部ジャム発生時  印刷開始前ページ印刷設定」などである。案内文４１２は、選択画面４１０にユーザが行うべき操作を案内する。案内文４１２は、例えば「項目を選択し、［設定］キーを押してください。」などである。
【００４３】
継続ボタン４１３は、未給紙ページの出力継続を選択する操作を受け付ける。中止ボタン４１４は、未給紙ページの出力中止を選択する操作を受け付ける。設定ボタン４１５は、継続ボタン４１３および中止ボタン４１４への操作を確定する操作を受け付ける。取消ボタン４１６は、継続ボタン４１３および中止ボタン４１４への操作を取り消す操作を受け付ける。
【００４４】
制御部１１０（第一選択部１１３）は、未給紙ページの出力継続を選択する操作を受け付けた場合（ステップＳ２のＹｅｓ）、未給紙ページ（表１の例ではページ５）を出力し（ステップＳ３）、ステップＳ４に処理を進める。また、制御部１１０（第一選択部１１３）は、未給紙ページの出力中止を選択する操作を受け付けた場合（ステップＳ２のＮｏ）、ステップＳ３を行わずステップＳ４に処理を進める。
【００４５】
ここで、ステップＳ３の時点では、ジャム原因であるページ２の除去が済んでいるとは限らないため、制御部１１０の制御により、未給紙ページ（表１の例ではページ５）は、第一折り処理を終えたところで排紙口３６１から排出される。
【００４６】
ステップＳ４に進む時点で、状態管理部１１１は、管理・把握するシートの状態を、ステップＳ２の選択如何で、次に示す表２または表３のように変更する。
【表２】
2019164257.tif 000004
表２は、ステップＳ２で「中止」だった場合のものである。ページ３，４が「第一折りで排出」に更新された以外は、表１と同じである。よって、ページ５は、「給紙前」のままである。
【表３】
2019164257.tif 000005
表３は、ステップＳ２で「継続」だった場合のものである。ページ３，４に加えてページ５も、「第一折りで排出」に更新されている。ページ１，２については表１と同じである。
【００４７】
ステップＳ４で、制御部１１０は、ジャム原因のシート（表１の例ではページ２）の除去を待機し（ステップＳ４のＮｏ）、除去が確認されると（ステップＳ４のＹｅｓ）、ステップＳ５に処理を進める。ステップＳ５で、制御部１１０は、第二選択部１１４として、操作部２１０を介してユーザから、現在実行中のジョブのリカバリーをどのように行うかの選択を、受け付ける。
【００４８】
図８は、図６のステップＳ５で操作部２１０に表示させる選択画面４２０の一例である。選択画面４２０は、案内文４２１、第一〜第四選択肢ボタン４２２〜４２５、などを含んでいる。
【００４９】
案内文４２１は、選択画面４２０が表示された理由や選択画面４２０で何を行うのかを端的に示すとともに、選択画面４２０にユーザが行うべき操作を案内する。案内文４２１は、例えば次のようなものである。
「第二折り部でジャムが発生したため、印刷を停止しました。
後続する印刷中ジョブは第一折りを実施して、第一折り排紙部から排紙しました。
ジャム発生ジョブ以降をすべて再出力する場合は［通常のリカバリー］を押してください。
第一折り済みの用紙を再挿入して第二折りを継続する場合は［再挿入して再開］を押してください。その後、画面指示にしたがって指定位置から第一折り済みの用紙を挿入してください。
ジャム発生ジョブのみを再出力する場合は［ジャム用紙のみリカバリー］を押してください。
再出力をしない場合は［リカバリーしない］を押してください。」
【００５０】
第一選択肢ボタン４２２は、［通常のリカバリー］を選択する操作を受け付ける。第二選択肢ボタン４２３は、［再挿入して再開］を選択する操作を受け付ける。第三選択肢ボタン４２４は、［ジャム用紙のみリカバリー］を選択する操作を受け付ける。第四選択肢ボタン４２５は、［リカバリーしない］を選択する操作を受け付ける。
【００５１】
制御部１１０（第二選択部１１４）は、ユーザの選択操作を待機する（ステップＳ６のＮｏ）。選択操作があると（ステップＳ６のＹｅｓ）、制御部１１０は、選択に応じた処理を行って（ステップＳ７）、ジャム対応処理を終了する。
【００５２】
表１の例の場合、ステップＳ７で行う処理の内容として、例えば下記（Ａ）〜（Ｄ）の４種類の選択肢がある。
【００５３】
［通常のリカバリー］                                  …（Ａ）
この選択肢は、ユーザが、シートの無駄が多くなったとしても手作業なく確実な出力を望む場合に好適である。制御部１１０は、ジャム除去後、再利用可能なシートを再利用せず、ジャム原因のシート以降を全て出力する。表１の例では、ページ１を除いたページ２〜５を出力する。ジャム発生時のページ２〜４は、廃棄される。
【００５４】
［再挿入して再開］                                    …（Ｂ）
制御部１１０は、シートの再利用を勧めてシートの無駄を可能な限り抑えるとともに、リカバリー完了時点で、トレイ３３５上に排出されたシートが、ジョブが正常に完了したのと同じ状態になるよう、導く。すなわち、制御部１１０は、ジャム原因であるページ２が除去されると、新たにページ２とするシートを給紙部２４０から給紙し、画像形成し、第一・第二折りし、トレイ３３５に排出する。続いて、制御部１１０は、ページ３，４を排紙・再挿入部３６０から再挿入するよう、操作部２１０を介してユーザに案内する。ページ３，４が再挿入されると、制御部１１０は、ページ３，４に第二折り処理以降の処理を行って、トレイ３３５に排出する。
【００５５】
この後、制御部１１０は、ページ５の処理を行うが、処理の内容がステップＳ２での選択に応じて異なる。すなわち、ステップＳ２で「中止」が選択されていた場合には、ページ５が給紙前であるので、制御部１１０は、ページ５を、給紙、画像形成、第一・第二折りし、トレイ３３５に排出する。また、ステップＳ２で「継続」が選択されていた場合には、ページ５は第一折り処理を終えた状態で排出されているので、制御部１１０は、ページ５についても、ページ３，４と同様に扱う。
【００５６】
［ジャム用紙のみリカバリー］                          …（Ｃ）
制御部１１０は、ジャム原因であるページ２が除去されると、新たにページ２とするシートを給紙部２４０から給紙し、画像形成し、第一・第二折りし、トレイ３３５に排出する。次に、制御部１１０は、ステップＳ２で「中止」が選択されていた場合にのみ、ページ５の処理を行う。
【００５７】
すなわち、制御部１１０は、ステップＳ２で「中止」が選択されていた場合には、ページ５が給紙前であるので、ページ５を、給紙、画像形成、第一・第二折りし、トレイ３３５に排出する。一方、ステップＳ２で「継続」が選択されていた場合には、ページ５は第一折り処理を終えた状態で排出されているので、この段階では制御部１１０はページ５については何もせず、処理を終了する。
【００５８】
この選択肢（Ｃ）は、ユーザが、第二折りの手作業の発生を許容し、当該手作業を含めた方が効率良くリカバリーできる状況であるとした場合に、好適である。
【００５９】
制御部１１０による処理が終わった後、ユーザは、第一折り処理を終えた状態で排出されているシートに対する第二折り処理を手作業で行う。表２の例（ステップＳ２で「中止」）の場合には、第二折り処理すべきシートは、ページ３，４の２枚である。また、表３の例（ステップＳ２で「継続」）の場合には、第二折り処理すべきシートは、ページ３〜５の３枚である。なお、今回の比較対象である表２，３の例では、第二折りすべきシートの枚数差は、ページ５の分のみの１枚であるが、未給紙ページがページ５以降複数ページ存在する場合であると、枚数差は増える。
【００６０】
［リカバリーしない］                                  …（Ｄ）
制御部１１０は、ページ２以降の出力をキャンセルする。この場合、ページ２以降の出力は行われない。この選択肢（Ｄ）による対応は、予め余分に（例えば１〜２部多く）出力するよう設定したジョブであった場合に、特に効果的である。
【００６１】
以上、本実施形態では、第一選択部１１３で、ジャム直後からジャム原因除去前までの処理として、ジョブの処理対象のシートであってジャム時に未給紙のシートへの処理を継続するか中止するかを選択可能とした。さらに本実施形態では、第二選択部１１４で、ジャム原因除去後のジョブのリカバリーの内容を複数の選択肢から選択して実行するようにした。これにより、本実施形態の画像形成システム１００では、ユーザは、複数のリカバリー内容から、望む処理結果に最も近くなるものを、選択することができる。
【００６２】
特に、第二処理部３２０より後でのジャムであれば、第一折り処理を終えて排紙口３６１から排出できるシートが存在するので、当該シートを排紙口３６１から排出することにより、ユーザがジャム原因以外のシートの除去に煩わされる不都合を排除できる。また、第二折り処理は手作業でも可能であるので、ユーザが手作業を許容する場合には、手作業を前提としたリカバリー内容にすることができる。これにより、第一折り済みのシートを折り装置３００に再挿入する方が第二折りを手作業で行うよりも煩雑と考えられる場合に、これを避けたリカバリーを行うことができる。
【００６３】
なお、本実施形態では、画像形成部２３０における画像形成の方式について特記していないが、実施にあたって、画像形成の方式は問わない。すなわち、画像形成の方式は、電子写真でもインクジェットでもよい。
【００６４】
また、本実施形態では、図６のステップＳ１でジョブの継続／中止の選択を受け付けているが、実施にあたっては、ジャム発生に際してステップＳ１〜Ｓ２を行うのでなく、予めジャム発生時にジョブを継続するのか中止するのかの設定を受け付けておき、当該設定をジャム発生時に読み出して使用するのであってもよい。
【００６５】
さらに、本実施形態では、図６のステップＳ５でジャム対応の種類の選択を受け付けているが、実施にあたっては、ジャム発生に際してステップＳ５〜Ｓ６を行うのでなく、予めジャム発生時に行うジャム対応の種類の設定を受け付けておき、当該設定をジャム発生時に読み出して使用するのであってもよい。
【００６６】
また、本実施形態では、ジョブの継続／中止の選択を図７の選択画面４１０を用いて図６のステップＳ１で行い、ジャム対応の種類の選択を図８の選択画面４２０を用いて図６のステップＳ５で行っているが、実施にあたっては、これに限らない。例えば、実施にあたっては、ジョブの継続／中止の選択とジャム対応の種類の選択とを、一つの画面で受け付けるようにしてもよい。またこの場合、選択を受け付けるタイミングは、ジャム発生前に予め行うのでもよいし、ジャム発生時（ステップＳ１相当のタイミング）でもよい。
【００６７】
また、本実施の形態の画像形成システムで実行される画像形成プログラムは、ＲＯＭ等に予め組み込まれて提供される。
【００６８】
本実施の形態の画像形成システムで実行される画像形成プログラムは、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録して提供するように構成してもよい。
【００６９】
さらに、本実施の形態の画像形成システムで実行される画像形成プログラムを、インターネット等のネットワークに接続されたコンピュータ上に格納し、ネットワーク経由でダウンロードさせることにより提供するように構成しても良い。また、本実施の形態の画像形成システムで実行される画像形成プログラムをインターネット等のネットワーク経由で提供または配布するように構成しても良い。
【００７０】
本実施の形態の画像形成システムで実行される画像形成プログラムは、上述した各部（状態管理部１１１、自動排出部１１２、第一選択部１１３、第二選択部１１４）を含むモジュール構成となっており、実際のハードウェアとしてはＣＰＵ（プロセッサ）が上記ＲＯＭから画像形成プログラムを読み出して実行することにより上記各部が主記憶装置上にロードされ、状態管理部１１１、自動排出部１１２、第一選択部１１３、第二選択部１１４が主記憶装置上に生成されるようになっている。
【符号の説明】
【００７１】
１００…画像形成システム、
１１０…制御部、１２０…コントローラ
１１１…状態管理部、１１２…自動排出部、１１３…第一選択部（継続／中止選択部）
１１４…第二選択部（リカバリー選択部）
２００…画像形成装置
２１０…操作部、２２０…原稿読取部、２３０…画像形成部、２４０…給紙部
３００…折り装置
３１０…第一処理部
３１１…連結搬送部、３１２…端面折部、３１３…ジャバラ折部（第一折り部）
３２０…第二処理部、３２１…搬送切替部、３２２…縦パンチ、３２３…横パンチ
３３０…第三処理部、３３１…クロス折部（第二折り部）
３３２…反転部、３３３…回転部、３３４…スタンプ、３３５…トレイ（第二排出部）
３４０…操作部
３５０…手差部、３５１…手差トレイ、３５２…手差搬送部
３６０…排紙・再挿入部（第一排出部）、３６１…排紙口、３６２…トレイ
４１０…選択画面、４１１…標題、４１２…案内文
４１３…継続ボタン、４１４…中止ボタン、４１５…設定ボタン、４１６…取消ボタン
４２０…選択画面、４２１…案内文
４２２…第一選択肢ボタン、４２３…第二選択肢ボタン
４２４…第三選択肢ボタン、４２５…第四選択肢ボタン
【先行技術文献】
【特許文献】
【００７２】
【特許文献１】特開２０１０−２６６７３２号公報
【図１】
2019164257.tif 000006
【図２】
2019164257.tif 000007
【図３】
2019164257.tif 000008
【図４】
2019164257.tif 000009
【図５】
2019164257.tif 000010
【図６】
2019164257.tif 000011
【図７】
2019164257.tif 000012
【図８】
2019164257.tif 000013